(57)【要約】      （修正有）【課題】低コスト性及び資源節約性を高めるとともに、ポール類としての多様性，興味性及び面白みを高めることができるグリップ付ポール類を提供する。【解決手段】パイプ部材Ｐにより形成したポール本体部２の上端部２ｍｕに手で握ることができるグリップ部３を設けてグリップ付ポール類１を構成する。さらに、グリップ部３の下端部３ｍｄ（又はポール本体部２の上端部２ｍｕ）に一体に設け、かつ少なくとも二種類以上の異なるポール本体部２の上端部２ｍｕ（又はグリップ部３の下端部３ｍｄに形成した挿入孔部）に対して着脱可能な着脱部４を設ける。また、ポール本体部２の上端部２ｍｕ（又は挿入孔部）に着脱部４を装着した際にポール本体部２の上端部２ｍｕ（又は挿入孔部）と着脱部４を固定可能な固定部５とを設ける。【選択図】図１
0003167662.tif 000002
【実用新案登録請求の範囲】
【請求項１】
パイプ部材により形成したポール本体部の上端部に手で握ることができるグリップ部を設けてなるグリップ付ポール類において、前記グリップ部の下端部（又は前記ポール本体部の上端部）に一体に設け、かつ少なくとも二種類以上の異なる前記ポール本体部の上端部（又は前記グリップ部の下端部に形成した挿入孔部）に対して着脱可能な着脱部と、前記ポール本体部の上端部（又は前記挿入孔部）に前記着脱部を装着した際に前記ポール本体部の上端部（又は前記挿入孔部）と前記着脱部を固定可能な固定部とを備えることを特徴とするグリップ付ポール類。
【請求項２】
前記グリップ部の下端部には、前記着脱部の装着時に前記ポール本体部の上端部が収容する収容凹部を設けることを特徴とする請求項１記載のグリップ付ポール類。
【請求項３】
前記着脱部は、前記グリップ部の下端部（又は前記ポール本体部の上端部）から突出し、前記ポール本体部の内部（又は前記挿入孔部）に挿入する嵌合凸部を備えることを特徴とする請求項１又は２記載のグリップ付ポール類。
【請求項４】
前記固定部は、前記着脱部を前記ポール本体部の内部（又は前記挿入孔部の内部）に挿入し、かつ前記グリップ部（又は前記ポール本体部）の回し操作により、当該固定部におけるジョイントプラグを押広げて前記ポール本体部の内面（又は前記挿入孔部の内面）に圧着させて固定するジョイント機構を備えることを特徴とする請求項１，２又は３記載のグリップ付ポール類。
【請求項５】
前記固定部は、前記ポール本体部の上端部を前記嵌合凹部に装着した状態で前記グリップ部と前記ポール本体部の上端部を固定可能な別途の固定具を用いた固定機構を備えることを特徴とする請求項１又は２記載のグリップ付ポール類。
【請求項６】
前記ポール本体部には、少なくともトレッキングポール用ポール本体部，ウォーキングポール用ポール本体部，スキーポール用ポール本体部，の一つ以上を含むことを特徴とする請求項１〜５のいずれかに記載のグリップ付ポール類。
【請求項７】
前記グリップ部には、少なくともトレッキングポール用Ｔ型グリップ部，トレッキングポール用Ｉ型グリップ部，スキーポール用グリップ部，ノルディックポール用グリップ部，ウォーキングポール用グリップ部，多目的グリップの一つ以上を含むことを特徴とする請求項１〜６のいずれかに記載のグリップ付ポール類。
【考案の詳細な説明】
【技術分野】
【０００１】
本考案は、トレッキングポール，ウォーキングポール，スキーポール等のグリップ付ポール類に関する。
【背景技術】
【０００２】
従来、グリップ付ポール類としてはスキーポールが広く知られているが、近時、様々なグリップ付ポール類も実用化されており、例えば、単純なウォーキングよりも運動効果を高めることができるノルディックウォーキングに用いられるウォーキングポールや山登りに足の負担を軽減させるためのトレッキングポール等が知られている。
【０００３】
一方、本出願人は、既に、ノルディックウォーキングに用いて好適なウォーキング補助具を特許文献１により提案した。このウォーキング補助具は、ウォーキング中における腕振り運動に対して適度な負荷をかけることにより、運動強度及び肩甲骨強化を促進するとともに、肩鎖関節の可動域の広がりにより肩凝り防止，血行促進及び脳の活性化をより有効化し、さらに、ウォーキングに対するリズムのバランスや脳のコーディネーション能力の向上など、ウォーキングに対する最適化を図ることを目的としたものであり、基本的な構成として、ポール部と、このポール部の上端部に設けたグリップ部と、このグリップ部に設けたストラップ部とを有するウォーキング補助具であって、パイプ状に形成したポール部の内部に所定の重量を有するオモリを収容して構成したものである。
【先行技術文献】
【特許文献】
【０００４】
【特許文献１】実用新案登録第３１４９４２８号公報
【考案の概要】
【考案が解決しようとする課題】
【０００５】
しかし、上述したウォーキング補助具を含む従来のグリップ付ポール類は、グリップ部とポール本体部が一体構成となるため、次のような解決すべき課題も存在した。
【０００６】
例えば、ポール本体部が破損したり或いはポール本体部のデザインや形態を変更したい場合などにおいて、使い慣れたお気に入りのウォーキングポール（特に、グリップ部）であっても、新しいウォーキングポールを購入せざるを得ない。結局、お気に入りのグリップ部を継続して使用できないという致命的な不具合を生じるとともに、使用可能なグリップ部の無駄を招くことになりコスト面や資源節約の観点からも好ましいものではない。
【０００７】
また、トレッキングポール，ウォーキングポール，スキーポール等の各種ポール類を使用していた場合において、最もお気に入りのグリップ部を他の分野のポールに使用したり、或いは使用場所や気分転換等の目的で他の分野のポールのグリップ部と入れ替えて使用するなど、様々な使い方に対して柔軟に対応できず、ポール類としての多様性，興味性及び面白みを高める観点からは必ずしも十分であるとは言えない。
【０００８】
本考案は、このような背景技術に存在する課題を解決したグリップ付ポール類の提供を目的とするものである。
【課題を解決するための手段】
【０００９】
本考案は、上述した課題を解決するため、パイプ部材Ｐにより形成したポール本体部２の上端部２ｍｕに手で握ることができるグリップ部３を設けてなるグリップ付ポール類１を構成するに際して、グリップ部３…の下端部３ｍｄ…（又はポール本体部２の上端部２ｍｕ…）に一体に設け、かつ少なくとも二種類以上の異なるポール本体部２…の上端部２ｍｕ…（又はグリップ部３…の下端部３ｍｄ…に形成した挿入孔部３ｍｈ…）に対して着脱可能な着脱部４…と、ポール本体部２…の上端部２ｍｕ…（又は挿入孔部３ｍｈ…）に着脱部４…を装着した際にポール本体部２…の上端部２ｍｕ…（又は挿入孔部３ｍｈ…）と着脱部４…を固定可能な固定部５…とを備えてなることを特徴とする。
【００１０】
この場合、考案の好適な実施態様により、グリップ部３の下端部３ｍｄには、着脱部４の装着時にポール本体部２の上端が収容する収容凹部１１を設けることが望ましい。また、着脱部４は、グリップ部３の下端部３ｍｄ（又はポール本体部２の上端部２ｍｕ）から突出し、ポール本体部２の内部（又は挿入孔部３ｍｈの内部）に挿入する嵌合凸部１２により構成できる。この際、固定部５は、着脱部４をポール本体部２の内部（又は挿入孔部３ｍｈの内部）に挿入し、かつグリップ部３（又はポール本体部２）の回し操作により、当該固定部５におけるジョイントプラグ１３を押広げてポール本体部２の内面（又は挿入孔部３ｍｈの内面）に圧着させて固定するジョイント機構Ｍｊにより構成してもよいし、ポール本体部２の上端部２ｍｕを挿入孔部３ｍｈに装着した状態でグリップ部３とポール本体部２の上端部２ｍｕを固定可能な別途の固定具１４を用いた固定機構Ｍｃにより構成してもよい。なお、ポール本体部２…には、少なくともトレッキングポール用ポール本体部２ａ，スキーポール用ポール本体部２ｂ，ウォーキングポール用ポール本体部２ｃ，の一つ以上を含ませることができるとともに、グリップ部３…には、少なくともトレッキングポール用Ｔ型グリップ部３ａ，トレッキングポール用Ｉ型グリップ部３ｂ，スキーポール用グリップ部３ｃ，ノルディックポール用グリップ部３ｄ，ウォーキングポール用グリップ部３ｅ，多目的グリップ部３ｆの一つ以上を含ませることができる。
【考案の効果】
【００１１】
このような構成を有する本考案に係るグリップ付ポール類１によれば、次のような顕著な効果を奏する。
【００１２】
（１）  ポール本体部２が破損したり或いはポール本体部２のデザインや形態を変更したい場合であっても、ポール本体部２のみを交換すれば足りるため、例えば、お気に入りのウォーキングポールを使用していた場合には、使い慣れたお気に入りのグリップ部３をそのまま継続して使用することができる。しかも、使用可能なグリップ部３は無駄にならないため、低コスト性及び資源節約性を高めることができる。
【００１３】
（２）  トレッキングポール，スキーポール，ウォーキングポール等の各種ポール類を使用していた場合において、最もお気に入りのグリップ部３を他の分野のポールに使用したり或いは使用場所や気分転換等の目的で他の分野のポールにおけるグリップ部３と入れ替えて使用することが可能になるなど、柔軟に対応することができるため、ポール類１としての多様性，興味性及び面白みを飛躍的に高めることができる。
【００１４】
（３）  好適な態様により、グリップ部３の下端部３ｍｄに、着脱部４の装着時にポール本体部２の上端部２ｍｕが収容する収容凹部１１を設ければ、ポール本体部２の上端部２ｍｕをグリップ部３の収容凹部１１により覆うことができるため、ポール本体部２とグリップ部３と一体感を出すことができ、外観性を高めることができる。
【００１５】
（４）  好適な態様により、着脱部４を、グリップ部３の下端部３ｍｄ（又はポール本体部２の上端部２ｍｕ）から突出し、ポール本体部２の内部（又は挿入孔部３ｍｈの内部）に挿入する嵌合凸部１２により構成すれば、ポール本体部２とグリップ部３間の着脱は、挿入又は引抜の単純操作により可能になるため、面倒な操作を不要にして容易に着脱を行うことができる。
【００１６】
（５）  好適な態様により、固定部５を、着脱部４をポール本体部２の内部（又は挿入孔部３ｍｈの内部）に挿入し、かつグリップ部３（又はポール本体部２）の回し操作により、固定部５におけるジョイントプラグ１３を押広げてポール本体部２の内面（又は挿入孔部３ｍｈの内面）に圧着させて固定するジョイント機構Ｍｊにより構成すれば、単純な回し操作によりポール本体部２とグリップ部３間を固定できる。したがって、別途の固定具などの使用を不要にし、かつ容易に固定することができる。
【００１７】
（６）  好適な態様により、固定部５を、ポール本体部２の上端部２ｍｕを挿入孔部３ｍｈに装着した状態でグリップ部３とポール本体部２の上端部２ｍｕを固定可能な別途の固定具１４を用いた固定機構Ｍｃにより構成すれば、ボルト・ナット等の別途の固定具１４を用いて、より強固かつ確実に固定することができる。
【図面の簡単な説明】
【００１８】
【図１】本考案の好適実施形態に係るグリップ付ポール類を構成するグリップ部及びポール本体部の外観図、
【図２】同グリップ付ポール類におけるグリップ部とポール本体部の一例を示す離脱状態の一部断面構成図、
【図３】図２に示すグリップ部とポール本体部の一部抽出拡大断面図を含む装着状態の外観構成図、
【図４】図３中のＡ−Ａ線端面図、
【図５】同グリップ付ポール類の使用説明図、
【図６】同グリップ付ポール類の着脱部及び固定部の変更例を示す断面構成図、
【考案を実施するための形態】
【００１９】
次に、本考案に係る好適実施形態を挙げ、図面に基づき詳細に説明する。
【００２０】
まず、本実施形態に係るグリップ付ポール類１の構成について、図１〜図４を参照して説明する。
【００２１】
グリップ付ポール類１は、基本的な構成として、グリップ部３…の下端部３ｍｄ…に一体に設け、かつ少なくとも二種類以上の異なるポール本体部２…の上端部２ｍｕ…に対して着脱可能な着脱部４…と、ポール本体部２…の上端部２ｍｕ…に着脱部４…を装着した際にポール本体部２…の上端部２ｍｕ…と着脱部４…を固定可能な固定部５…とを備える。例示は、図１に示すように、グリップ部３…として、トレッキングポール用Ｔ型グリップ部３ａ，トレッキングポール用Ｉ型グリップ部３ｂ，スキーポール用グリップ部３ｃ，ノルディックポール用グリップ部３ｄ，ウォーキングポール用グリップ部３ｅ，多目的グリップ３ｆ（図２参照）の六つのグリップ部３…を示すとともに、ポール本体部２…として、トレッキングポール用ポール本体部２ａ，スキーポール用ポール本体部２ｂ，ウォーキングポール用ポール本体部２ｃの三つのポール本体部２…を示す。
【００２２】
図２及び図３には、一例として、多目的グリップ部３ｆとウォーキングポール用ポール本体部２ｃを詳細に示す。
【００２３】
多目的グリップ部３ｆは、手で握ることができるグリップ本体３ｆｍとシート部材により形成したストラップ部２１を備え、このストラップ部２１の上部の固定端２１ｘは、グリップ本体３ｆｍの上部に取付ける。グリップ本体３ｆｍは合成樹脂や合成ゴム等の軟質素材により一体形成する。また、ストラップ部２１は固定端２１ｘから二方向に延出した第一バンド部２１ａと第二バンド部２１ｂを有し、第一バンド部２１ａの先端部には矩形枠状のバックル２２を取付けるとともに、片面（外向き面）に面ファスナを設けた第二バンド部２１ｂは先端側をバックル２２に通した状態にする。さらに、グリップ本体３ｆｍの下端部３ｍｄには突出部２３を一体形成し、この突出部２３とバックル２２間は紐等の連結部材２４により連結する。
【００２４】
そして、多目的グリップ部３ｆにおけるグリップ本体３ｆｍの下端部３ｍｄには、着脱部４を一体に設ける。この着脱部４は、図２に示すように、グリップ部３の下端部３ｍｄの下面から下方に突出する円柱状（円筒状）の嵌合凸部１２を備える。この場合、図３（一部抽出拡大断面図）に示すように、嵌合凸部１２の上部は、グリップ本体３ｆｍに埋設するとともに、下方に突出する嵌合凸部１２は、後述するポール本体部２ｃの上端開口から内部に挿入（嵌入）できるように形成する。このような着脱部４を設ければ、ポール本体部２ｃとグリップ部３間の着脱は、挿入又は引抜の単純操作により可能になるため、面倒な操作を不要にして容易に着脱を行うことができる。さらに、グリップ部３の下端部３ｍｄの下面には、図３に示す一部抽出拡大断面図のように、着脱部４をポール本体部２ｃの内部に装着した際に、ポール本体部２ｃの上端部２ｍｕが収容する収容凹部１１を設ける。これにより、着脱部４をポール本体部２ｃに装着した際には、ポール本体部２ｃの上端部２ｍｕをグリップ部３の収容凹部１１により覆うことができるため、ポール本体部２ｃとグリップ部３と一体感を出すことができ、外観性を高めることができる。
【００２５】
また、着脱部４の下端には固定部５を一体に設ける。例示の固定部５は、図２に示すように、ジョイント機構Ｍｊにより構成する。このジョイント機構Ｍｊは、着脱部４をポール本体部２ｃの内部に挿入した状態でグリップ部３を回し操作すれば、円錐状の押圧ブロック２７が下降し、複数のジョイント片１３ｃ…を有するジョイントプラグ１３を押広げることによりポール本体部２ｃの内面に圧着させて固定する機能を備える。固定部５をこのようなジョイント機構Ｍｊにより構成すれば、単純な回し操作によりポール本体部２ｃとグリップ部３間を固定できる。したがって、別途の固定具などの使用を不要にし、かつ容易に固定することができる。なお、グリップ部３を反対方向に回し操作すれば、円錐状の押圧ブロック２７が上昇し、ジョイントプラグ１３を押広げる作用が解除されるため、ポール本体部２ｃから着脱部４を引抜き、グリップ部３を離脱させることができる。
【００２６】
他方、ウォーキングポール用ポール本体部２ｃは、図２に示すように、軽量金属素材により上下端を開口した丸パイプ状に形成したパイプシャフト３１を備える。このパイプシャフト３１の全長は５０〔ｃｍ〕以内の長さに選定する。例示の長さは３０〔ｃｍ〕であり、３０〔ｃｍ〕前後が最適である。また、パイプシャフト３１の下端には合成樹脂や合成ゴム等の軟質素材により一体形成したキャップ部材３２を装着し、装着時には容易に離脱しないように考慮する。一方、所定の長さの丸棒体を用いたオモリ３３を用意する。このオモリ３３は、金属製丸棒材を任意の長さでカットして得ることができる。オモリ３３は、パイプシャフト３１の内部に収容するため、その外径はパイプシャフト３１の内径よりもやや小さく選定する。なお、３４はオモリ３３の動きを規制するパイプ状の規制部材であり、外径はオモリ３３と同一又は稍小さく選定する。規制部材３４は軽量金属素材又はプラスチック素材等により形成することができる。したがって、下端にキャップ部材３２を装着し、かつ上端から内部に規制部材３４とオモリ３３を収容したパイプシャフト３１がウォーキングポール用ポール本体部２ｃとなる。この場合、複数の異なる長さ（重さ）のオモリ３３…及び規制部材３４…を用意し、選択して使用できるようにする。
【００２７】
以上、一例として、多目的グリップ部３ｆとウォーキングポール用ポール本体部２ｃについて説明したが、他のグリップ部３…、即ち、トレッキングポール用Ｔ型グリップ部３ａ，トレッキングポール用Ｉ型グリップ部３ｂ，スキーポール用グリップ部３ｃ，ノルディックポール用グリップ部３ｄ，ウォーキングポール用グリップ部３ｅも基本的形態は同様に構成する。即ち、各グリップ部３ａ，３ｂ，３ｃ，３ｄ，３ｅは、図１に示すような様々な形態に構成するとともに、各グリップ部３ａ…の下端部３ｍｄ…の下面から突出する着脱部４…及び固定部５…は、図２及び図３に示した着脱部４及び固定部５と同一に構成するとともに、収容凹部１１も同様に設ける。また、他のポール本体部２…、即ち、トレッキングポール用ポール本体部２ａ，スキーポール用ポール本体部２ｂの基本的形態も同様に構成する。即ち、各ポール本体部２ａ，２ｂは、用途に対応した様々な形態により構成するも、上述した着脱部４及び固定部５が挿入する上端部２ｍｕ…の形態は、図２及び図３に示したパイプシャフト３１の上部と同一形状に形成する。
【００２８】
次に、本実施形態に係るグリップ付ポール類１の使用方法について、図１〜図５を参照して説明する。
【００２９】
まず、上述した多目的グリップ部３ｆとウォーキングポール用ポール本体部２ｃを組合わせる場合には、図２に示すように、重さを選定したオモリ３３とこのオモリ３３の長さに対応した規制部材３４を用意し、パイプシャフト３１の内部に収容する。この場合、オモリ３３と規制部材３４を収容する順番は問わない。そして、ポール本体部２ｃの内部に上から多目的グリップ部３ｆの固定部５及び着脱部４を挿入し、この状態でグリップ本体３ｆｍを回し操作すればよい。これにより、前述したジョイント機構Ｍｊの作用により、多目的グリップ部３ｆをウォーキングポール用ポール本体部２ｃに対して一体に結合することができるとともに、ポール本体部２の上端部２ｍｕはグリップ部３の収容凹部１１により覆われ、図３に示すように、多目的グリップ部３ｆとウォーキングポール用ポール本体部２ｃを一体化させたウォーキングポール１ｘを得ることができる。
【００３０】
そして、ウォーキングポール１ｘを使用する場合には、左右一対のウォーキングポール１ｘ…を用意し、使用者は、各ウォーキングポール１ｘ…のグリップ部３ｆ…をそれぞれ両手に持ち、この状態でウォーキングを行えばよい。これにより、ウォーキング中における腕振り運動に対して適度な負荷をかけることができる。したがって、運動強度を高め、肩甲骨の強化をより促進できるとともに、肩鎖関節の可動域の広がりによる肩凝り防止，血行促進及び脳の活性化を、より有効化することができる。また、ウォーキングに対するリズムのバランスや脳のコーディネーション能力の向上など、ウォーキングに対する最適化を図ることができる。
【００３１】
一方、重さの異なるウォーキングポール１ｘに変更する場合には、ウォーキングポール用ポール本体部２ｃから多目的グリップ部３ｆを離脱し、他のオモリ３３と規制部材３４に交換すればよい。なお、規制部材３４を収容することにより、オモリ３３の無用な動きや異音発生が防止される。
【００３２】
他方、使用者がトレッキングを行う場合であって、使い慣れているお気に入りの多目的グリップ部３ｆを使用することができれば、よりトレッキングを楽しむことも可能となる。この場合、多目的グリップ部３ｆをウォーキングポール用ポール本体部２ｃから離脱し、離脱した多目的グリップ部３ｆを、図１に示すトレッキングポール用ポール本体部２ａに装着すればよい。このように、本実施形態に係るグリップ付ポール類１は、図１に示す六つのグリップ部３…（３ａ…）と三つのポール本体部２…（２ａ…）を任意に組合わせて使用することができる。例示の場合、六×三の十八通りのグリップ付ポール類１として使用可能である。なお、例示のトレッキングポール用ポール本体部２ａは、径の異なる複数のポール分割部２ａｕ，２ａｍ，２ａｄを伸縮可能に組合わせて構成したものであり、各ポール分割部２ａｕ，２ａｍ，２ａｄは、上述した固定部５と同様の機構を備えることにより伸縮させることができる。
【００３３】
よって、このような本実施形態に係るグリップ付ポール類１によれば、ポール本体部２が破損したり或いはポール本体部２のデザインや形態を変更したい場合であっても、ポール本体部２のみを交換すれば足りるため、例えば、お気に入りのウォーキングポールを使用していた場合には、使い慣れたお気に入りのグリップ部３をそのまま継続して使用することができる。しかも、使用可能なグリップ部３は無駄にならないため、低コスト性及び資源節約性を高めることができる。また、トレッキングポール，スキーポール，ウォーキングポール等の各種ポール類を使用していた場合において、最もお気に入りのグリップ部３を他の分野のポールに使用したり或いは使用場所や気分転換等の目的で他の分野のポールにおけるグリップ部３と入れ替えて使用することが可能になるなど、柔軟に対応することができるため、ポール類１としての多様性，興味性及び面白みを飛躍的に高めることができる。図５（ａ），（ｂ）及び（ｃ）は、ノルディックポール用グリップ部３ｄを共通のグリップ３とし、デザインの異なる三種類のスキーポール用ポール本体部２ｃｐ，２ｃｑ，２ｃｒを装着した場合を示している。
【００３４】
次に、本実施形態に係る着脱部４及び固定部５の変更例について、図６を参照して説明する。
【００３５】
前述した図１〜図３に示した着脱部４は、グリップ部３の下端部３ｍｄから突出し、ポール本体部２の内部に挿入する嵌合凸部１２により構成したが、図６に示す変更例の着脱部４は、グリップ部３の下端部３ｍｄの下面から内部に形成した挿入孔部３ｍｈにより構成したものである。したがって、この挿入孔部３ｍｈの内部に、ポール本体部２の上端部２ｍｕを挿入して装着できる。なお、図６のポール本体部２は、図１〜図３のポール本体部２に対して、挿入孔部３ｍｈに挿入する長さ分だけ長くする延長部２ｕｅを設けることが望ましい。
【００３６】
また、前述した図１〜図３に示した固定部５は、着脱部４をポール本体部２の内部に挿入し、かつグリップ部３の回し操作により、固定部５におけるジョイントプラグ１３を押広げてポール本体部２の内面に圧着させて固定するジョイント機構Ｍｊにより構成したが、図６に示す変更例の固定部５は、ポール本体部２の上端部２ｍｕを挿入孔部３ｍｈに装着した状態でグリップ部３とポール本体部２の上端部２ｍｕを固定可能な別途の固定具１４を用いた固定機構Ｍｃにより構成したものである。例示の固定具１４は、ボルト１４ｂとナット１４ｎである。図６中、４１ｐ，４１ｑはポール本体部２に設けた、ボルト１４ｂが挿通するボルト挿通孔、４２ｐ，４２ｑはグリップ部３に設けた、ボルト１４ｂを取付けるボルト取付孔、４３ｐ，４３ｑはボルト取付孔４２ｐ，４２ｑを塞ぐ化粧キャップをそれぞれ示す。なお、化粧キャップ４３ｐ，４３ｑは着脱可能である。このような固定部５を用いれば、ボルト・ナット等の別途の固定具１４により、より強固かつ確実に固定することができる。
【００３７】
以上、好適実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３８】
例えば、実施形態は、グリップ部３…の下端部３ｍｄ…に嵌合凸部１２を設けた形態を示したが、ポール本体部２の上端部２ｍｕ…に嵌合凸部１２を設け、この嵌合凸部１２をグリップ部３…の挿入孔部３ｍｈ…に装着する形態であってもよい。また、ポール本体部２…は、例示した三つのポール本体部２ａ，２ｂ，２ｃ以外の様々な形態のポール本体部を適用できるとともに、グリップ部３…は、例示した六つのグリップ部３ａ，３ｂ，３ｃ，３ｄ，３ｅ，３ｆ以外の様々な形態のグリップ部を適用できる。さらに、二つの異なるグリップ部３…を、ポール本体部２ｃ（或いはポール分割部２ａｕ）の両端にそれぞれ装着できるようにしてもよい。これにより、屋内などにおける筋力トレーニング器としての活用も可能になるとともに、デザイン的観点からはユニバーサル的デザインにも対応させることができる。
【産業上の利用可能性】
【００３９】
本考案に係るグリップ付ポール類は、トレッキングポール，ウォーキングポール，スキーポール等をはじめ、グリップ部とポール本体部を組合わせて構成する各種のグリップ付ポール類に利用することができる。
【符号の説明】
【００４０】
１：グリップ付ポール類，２…：ポール本体部，２ａ：トレッキングポール用ポール本体部，２ｂ：スキーポール用ポール本体部，２ｃ：ウォーキングポール用ポール本体部，２ｍｕ…：ポール本体部の上端部，３：グリップ部，３ａ：トレッキングポール用Ｔ型グリップ部，３ｂ：トレッキングポール用Ｉ型グリップ部，３ｃ：スキーポール用グリップ部，３ｄ：ノルディックポール用グリップ部，３ｅ：ウォーキングポール用グリップ部，３ｆ：多目的グリップ部，３ｍｄ…：グリップ部の下端部，３ｍｈ…：挿入孔部，４…：着脱部，５…：固定部，１１：収容凹部，１２：嵌合凸部，１３：ジョイントプラグ，１４：固定具，Ｐ：パイプ部材，Ｍｊ：ジョイント機構，Ｍｃ：固定機構
【図１】
0003167662.tif 000003
【図２】
0003167662.tif 000004
【図３】
0003167662.tif 000005
【図４】
0003167662.tif 000006
【図５】
0003167662.tif 000007
【図６】
0003167662.tif 000008